(57)【特許請求の範囲】
【請求項１】
画像データＺ、画像データＺに対応する有用な情報分野Ｘ、画像データＺに図示したデータ名Ｙ、画像データＺの情報分野ＸでのキーワードＫを有するデータベースの中から、入力された検索指令に従ってコンピュータが所定の画像データＺを検索するデータ検索装置において、
一覧表形式のテーブルの行あるいは列のいずれか一方に情報分野Ｘの一覧が配置され、他方にデータ名Ｙの一覧が配置され、前記テーブルの各セルの少なくとも一部のセルには、前記各情報分野一覧中の所定の分野と前記データ一覧中の所定のデータとに基づいて決定されたキーワードＫが配置された一覧表形式のデータ検索テーブルを表示すると共に、検索された画像データを検索結果として表示する表示部と、
この表示部に表示されたデータ検索テーブル中の所定のキーワードを指定する入力を受け付ける入力部と、
前記指定されたキーワードに基づいて、このキーワードに予め関連づけられている画像データを前記データベース中で検索し、その結果を前記表示部に出力する検索部と、を備えたことを特徴とするデータ検索装置。
【請求項２】
前記入力部が、前記表示部に表示されたデータ検索テーブル中の、行あるいは列に配置された情報分野一覧またはデータ一覧中から所望の情報分野またはデータを選択する第１の選択部と、前記第１の選択部によって選択された行あるいは列の中から所望のキーワードを選択する第２の選択部を備えたことを特徴とする請求項１に記載のデータ検索装置。
【請求項３】
画像データＺ、画像データＺに対応する有用な情報分野Ｘ、画像データＺに図示したデータ名Ｙ、画像データＺの情報分野ＸでのキーワードＫを有するデータベースの中から、入力された検索指令に従ってコンピュータが次のステップを実行することにより、所定の画像データＸを検索するデータ検索方法において、
一覧表形式のテーブルの行あるいは列のいずれか一方に情報分野Ｘの一覧が配置され、他方にデータ名Ｙの一覧が配置され、前記テーブルの各セルの少なくとも一部のセルには、前記各情報分野一覧中の所定の分野と前記データ一覧中の所定のデータとに基づいて決定されたキーワードＫが配置された一覧表形式のデータ検索テーブルを表示するステップと、
この表示部に表示されたデータ検索テーブル中の所定のキーワードを指定する入力を受け付けるステップと、
前記指定されたキーワードに基づいて、このキーワードに予め関連づけられている画像データを前記データベース中で検索するステップと、
前記検索された画像データを検索結果として表示するステップとを備えたことを特徴とするデータ検索方法。
【請求項４】
前記データベースが、画像データＺに関連する文書データＳを有するものであり、
前記検索するステップが、指定されたキーワードに関連する画像データＺと、この画像データＺに関連する文書データＳとを検索するものであり、
前記検索結果を表示するステップが、画像データに加えて文書データを表示するものである請求項３に記載のデータ検索方法。
【請求項５】
画像データＺ、画像データＺに対応する有用な情報分野Ｘ、画像データＺに図示したデータ名Ｙ、画像データＺの情報分野ＸでのキーワードＫを有するデータベースの中から、入力された検索指令に従ってコンピュータに次のステップを実行させることにより、所定の画像データＸを検索するデータ検索用ソフトウェアを記録したコンピュータ読取可能な記録媒体において、
前記データ検索用ソフトウェアが、コンピュータに対して、
一覧表形式のテーブルの行あるいは列のいずれか一方に情報分野Ｘの一覧が配置され、他方にデータ名Ｙの一覧が配置され、前記テーブルの各セルの少なくとも一部のセルには、前記各情報分野一覧中の所定の分野と前記データ一覧中の所定のデータとに基づいて決定されたキーワードＫが配置された一覧表形式のデータ検索テーブルを表示するステップと、
この表示部に表示されたデータ検索テーブル中の所定のキーワードを指定する入力を受け付けるステップと、
前記指定されたキーワードに基づいて、このキーワードに予め関連づけられている画像データを前記データベース中で検索するステップと、
前記検索された画像データを検索結果として表示するステップを実行させることを特徴とするデータ検索用ソフトウェアを記録したコンピュータ読取可能な記録媒体。
【発明の詳細な説明】
【０００１】
【発明の属する技術分野】
本発明は、各種のデータを地図等の所定の画像上に図示したデータベース作成方法と、このデータベースを利用したデータ検索装置及びデータ検索方法に関するものである。
【０００２】
【従来の技術】
国勢調査等の統計データには、都市や地域に関する有用な情報を得られるものが多い。しかし、その大部分は数値データとして提供されており、諸都市の統計情報を図示した情報地図のように、一般の人々が利用しやすい形式で提供されているものは極めて少ない。このため、各種の統計データを活用するには、それらの統計データを利用する利用者自身が、各人の目的に合致した統計データを選択・入手し、その数値データ等を情報地図のような視覚的情報に転換することにより、それぞれのニーズにあった情報地図等を作成する必要があった。
【０００３】
従来、このような情報地図を作成する方法として、例えば、図８のフローチャートに示すような方法が用いられていた。すなわち、まず、利用者がそれぞれの目的に合う統計データ（例えば、６５才以上の人口率分布を示すデータ）を選択し（ステップ８０１）、自らが作成しようとする情報地図の範囲（例えば、関東地方、港区内等）を決定する（ステップ８０２）。そして、ステップ８０２で決定した情報地図の作成範囲に含まれる統計データを入力して（ステップ８０３）、情報地図を作成する（ステップ８０４）。
【０００４】
続いて、得られた情報地図を分析し（ステップ８０５）、その情報地図からその利用者が目的とする情報が読み取れたか否かを判断し（ステップ８０６）、読み取れた場合には、情報地図の作成処理を終了する。一方、ステップ８０６において、目的とする情報が読み取れないとされた場合には、その情報地図の表現方法は適切であるか否かを判断し（ステップ８０７）、表現方法が適切でないとされた場合には、ステップ８０４に戻り、新たな情報地図を作成する。一方、その情報地図の表現方法は適切であると判断された場合には、ステップ８０８に進み、その情報地図の作成範囲は適切であるか否かを判断する。
【０００５】
そして、ステップ８０８において、その情報地図の作成範囲が適切でないとされた場合には、ステップ８０２に戻り、自らが作成しようとする情報地図の作成範囲を修正して、再度、ステップ８０３以降の処理を行う。一方、その情報地図の作成範囲は適切であると判断された場合には、ステップ８０９に進み、統計データの選択は適切であるか否かを判断する。
【０００６】
ステップ８０９において、統計データの選択が適切でないとされた場合には、ステップ８０１に戻り、統計データの選択をやり直して、再度、ステップ８０２以降の処理を行う。一方、統計データの選択は適切であると判断された場合には、情報地図の作成工程には問題はないので、ステップ８０５に戻り、情報地図の分析をやり直し、再度、ステップ８０６以降の処理を行う。このように、従来は、図８のフローチャートに示した処理を繰り返すことにより、各利用者のニーズにあった情報地図を作成していた。
【０００７】
【発明が解決しようとする課題】
しかしながら、上述したような従来の情報地図の作成方法では、膨大な統計データの中から目的のデータを検索・入手し、情報地図として図示する地域を決定した上で、都市別データを入力し、情報地図を描画するという手順が必要となるため、利用者は統計データや情報地図の描画システムに関して熟知している必要があった。そのため、このような知識や経験に乏しい利用者には、統計データの取扱いは難しく、負担も大きいため、利用価値の高い有益な統計データが十分に活用されていなかった。
【０００８】
本発明は、上記のような従来技術の問題点を解消するために提案されたものであり、その目的は、各種のデータを地図等の所定の画像上に図示した、利用価値の高い有益なデータベースを使用するに当たり、統計データ等に関する知識や経験の少ない利用者であっても、多数のデータの中から目的のデータを簡便に検索することができ、そのデータを判りやすく図示した画像データを入手することにより、統計情報を有効かつ正確に活用することができるデータ検索装置及びデータ検索方法を提供することにある。
【０００９】
【課題を解決するための手段】
上記の目的を達成するために、請求項１に記載のデータ検索装置は、画像データＺ、画像データＺに対応する有用な情報分野Ｘ、画像データＺに図示したデータ名Ｙ、画像データＺの情報分野ＸでのキーワードＫを有するデータベースの中から、入力された検索指令に従ってコンピュータが所定の画像データＺを検索するデータ検索装置において、一覧表形式のテーブルの行あるいは列のいずれか一方に情報分野Ｘの一覧が配置され、他方にデータ名Ｙの一覧が配置され、前記テーブルの各セルの少なくとも一部のセルには、前記各情報分野一覧中の所定の分野と前記データ一覧中の所定のデータとに基づいて決定されたキーワードＫが配置された一覧表形式のデータ検索テーブルを表示すると共に、検索された画像データを検索結果として表示する表示部と、この表示部に表示されたデータ検索テーブル中の所定のキーワードを指定する入力を受け付ける入力部と、前記指定されたキーワードに基づいて、このキーワードに予め関連づけられている画像データを前記データベース中で検索し、その結果を前記表示部に出力する検索部と、を備えたことを特徴とする。
【００１０】
請求項３の発明は、前記請求項１の発明を方法の観点から把握したものであり、請求項５の発明は、請求項１の発明をデータ検索用ソフトウェアを記録したコンピュータ読取可能な記録媒体の観点から把握したものである。
【００１１】
上記のような構成を有する請求項１、請求項３あるいは請求項５に記載の発明によれば、表示部に表示された一覧表形式のテーブルからキーワードを指定するだけの簡単な操作で目的の画像データを簡便に検索することができるため、種々のデータに関する知識や経験が少ない利用者にとっても、過大な負担とならずに有用なデータを利用することができる。
特に、本発明は、ある情報地図に示された種々の情報を検索用ファクター（例えば、統計データ名、情報分野名等）として列挙すると共に、それらの検索用ファクターによって示される情報の要点を所定のキーワードで表現し、前記検索用ファクターと前記キーワードに基づいて、一覧表形式の情報地図検索テーブルを作成し、このテーブルを用いて情報地図データベースにアクセスすることができるように構成されているため、統計データの知識や利用経験がなくても、容易に必要な統計情報を入手することができる。
【００１２】
また、種々のデータを、視覚的に把握できる画像データとして表示することができるので、より活用しやすくなり、説得力のある情報分析が可能となる。さらに、予めデータベースに記憶させた画像データ検索テーブルとして、複数の検索用ファクターと対応するキーワードに基づいて、一覧表形式の画像データ検索テーブルを作成し、このテーブルを用いてデータベースにアクセスすることができるように構成されているので、一つの検索用ファクターに含まれる各種の画像データを活用することにより、多面的・重層的にデータを把握・分析することができる。
【００１３】
請求項２の発明は、前記請求項１の発明において、前記入力部が、前記表示部に表示されたデータ検索テーブル中の、行あるいは列に配置された情報分野一覧またはデータ一覧中から所望の情報分野またはデータを選択する第１の選択部と、前記第１の選択部によって選択された行あるいは列の中から所望のキーワードを選択する第２の選択部を備えたことを特徴とするものである。
【００１４】
このような構成を有する請求項２の発明によれば、一覧表形式のテーブルの行または列をたどることで、希望する情報分野やデータに属するキーワードを容易に発見することができ、所望のキーワードの入力が簡単に行える。
【００１５】
請求項４の発明は、前記請求項３の発明において、前記データベースが、画像データＺに関連する文書データＳを有するものであり、前記検索するステップが、指定されたキーワードに関連する画像データＺと、この画像データＺに関連する文書データＳとを検索するものであり、前記検索結果を表示するステップが、画像データに加えて文書データを表示するものであることを特徴とする。
【００１６】
このような構成を有する請求項４の発明によれば、キーワードを指定すると予めキーワードに間づけられた画像データに加えて、同様にキーワードに関連づけられた文書データも表示されるので、画像データだけでは表現しきれない情報も表示可能となる。
【００１７】
【発明の実施の形態】
以下、本発明の実施の形態（以下、実施形態という）について、図面を参照して具体的に説明する。なお、以下に示す実施形態は、予め収集した各種の統計データを用いて作成した情報地図を「画像データ」としたものである。
【００１８】
［１．情報地図のデータベース作成方法］
［１−１．情報地図データベース作成の処理手順］
図１乃至図４は、本発明のデータ検索装置及びデータ検索方法に使用するデータベースの構成並びにその作成方法の一実施形態を示すもので、図１及び図２はデータベース作成の処理手順を示すフローチャートである。
【００１９】
すなわち、図１及び図２に示したように、ステップ１０１（図中、Ｓ１０１）において、データ名（Ｙ）を有するある統計データ（例えば、６５歳以上の人口分布率を表すデータ）を用いて予め作成された情報地図を１つ選択して表示する。ステップ１０２において、選択された情報地図にその内容を踏まえた名称（Ｚ）を付し、これをファイル名としてその情報地図を画像データ記憶部に蓄積する。ステップ１０３において、その情報地図に関する基礎情報、及びその情報地図から読み取れる各種の注目情報を文書シート（Ｓ）に記述し、この文書シートを文書データ記憶部に蓄積する。
【００２０】
ステップ１０４において、情報地図管理リスト（図３参照）を表示する。なお、最初の段階では、この情報地図管理リストは空欄である。そして、ステップ１０５において、その情報地図の名称（Ｚ：関東地方）、この情報地図に表示された前記統計データのデータ名（Ｙ：６５歳以上の人口分布率）を記入し、ステップ１０６において、その情報地図（名称がＺの情報地図）が有用とされる社会的・技術的な情報分野（Ｘ）を１つ選定する。そして、ステップ１０７において、その情報分野ごとに、有用な情報の要点をキーワード（Ｋ）で表現し、これらのキーワード（Ｋ）と情報地図に図示した統計データ名（Ｙ）を関連付けた情報地図管理リスト（図３参照）を作成する。この場合、図３に示すように、１つのキーワードには一つの情報地図のみが関連づけられるが、１つの情報地図には、必ずしも１つのキーワードが関連づけられるとは限らず、複数のキーワードが関連づけられることもある。
【００２１】
ステップ１０８において、その情報地図（Ｚ）を有用とするすべての情報分野（Ｘ）について、情報地図管理リストの作成が終了したか否かが判断され、終了していない場合にはステップ１０６に戻り、他の情報分野（Ｘ）を１つ選定し、ステップ１０７以降の処理を行う。このようにして、ある情報地図（Ｚ）に関する情報地図管理リストが作成される。そして、その情報地図（Ｚ）を有用とするすべての情報分野（Ｘ）について、情報地図管理リストの作成が終了している場合には、ステップ１０９に進み、別のデータ名（Ｙ）を有する別の統計データを用いて作成された情報地図があるか否かが判断される。
【００２２】
そして、別のデータ名（Ｙ）を有する別の統計データを用いて作成された情報地図がある場合には、ステップ１０１に戻り、ステップ１０２以降の処理が繰り返される。一方、未処理の情報地図はない、言い換えれば、すべての情報地図について上記の処理が終了している場合にはステップ１１０に進む。
【００２３】
続いて、図２に示したように、ステップ１１０において、縦軸（ｙ行）に「データ名Ｙ」、横軸（ｘ列）に「情報分野Ｘ」を有する一覧表形式の情報地図検索テーブル（図４参照）を表示する。なお、最初の段階では、この情報地図検索テーブルは空欄である。
【００２４】
ステップ１１１において、上記情報地図管理リスト（図３参照）からキーワード（Ｋ）を１つ選択すると共に、このキーワード（Ｋ）に対応するデータ名（Ｙ）と情報分野（Ｘ）、及び情報地図（Ｚ）を読み取る。例えば、図３に示したように、情報地図管理リストからキーワード（Ｋ1）を１つ選択すると共に、このキーワード（Ｋ1）に対応するデータ名（Ｙ1）と情報分野（Ｘ22）、及び情報地図（Ｚ1）を読み取る。なお、図３において、Ｚ3a、Ｚ3bは、同一データ（Ｙ3）について、表現方法（地図縮尺や凡例区分、エリア等）を変えて図示することにより、異なる情報を読み取ることができたものを示している。
【００２５】
そして、ステップ１１２において、情報地図（Ｚ）に対応する情報地図検索テーブル上のデータ名（Ｙ）と情報分野（Ｘ）により規定されるセル（ｙ＝Ｙ行、ｘ＝Ｘ列）に、そのキーワード（Ｋ）を転載する。例えば、図４に示したように、情報地図（Ｚ）（Ｚ1）に対応する情報地図検索テーブルの縦軸にある「統計データ一覧」の中からデータ名（Ｙ1）を検索し、また、横軸にある「情報分野一覧」の中から情報分野（Ｘ22）を検索して、両者によって規定されるセルに、キーワード（Ｋ1）を入力する。
【００２６】
続いて、ステップ１１３において、情報地図検索テーブルのキーワード（Ｋ）が位置するセル（Ｙ行、Ｘ列）と、画像データ記憶部に蓄積してある画像ファイルである当該情報地図（Ｚ）を関連付け、さらに、ステップ１１４において、当該情報地図（Ｚ）と、文書データ記憶部に蓄積してある文書シート（Ｓ）の文書ファイルを関連付ける。
【００２７】
次に、ステップ１１５において、上記情報地図管理リスト中に未処理のキーワードがあるか否かが判断され、未処理のキーワードがある場合には、ステップ１１１に戻り、ステップ１１２以降の処理を繰り返す。一方、未処理のキーワードがない、言い換えれば、すべてのキーワードについて情報地図検索テーブルが作成された場合には、情報地図データベースの作成処理を終了する。
【００２８】
［１−２．作用・効果］
このように、本実施形態によれば、社会的・技術的に有用性のある統計データについて、あらかじめ情報地図並びに統計データ利用上の基礎情報や情報地図の注目情報を記述した説明文書を作成し、それらをデータベースとして蓄積しておくことができる。
【００２９】
また、縦軸に、ある情報地図に用いられた全ての統計データを所定のデータ区分に従って分類した「統計データ一覧」を記載し、横軸に、その情報地図から得られる情報を有用とする複数の情報分野を所定の区分に従って分類した「情報分野一覧」を記載すると共に、それぞれの一覧の中の「あるデータ」と「ある情報分野」が交差するセル内に、そのセルに対応する情報の要点を表したキーワードを記述した一覧表形式の情報地図検索テーブルを作成し、このテーブルを用いて情報地図データベースにアクセスすることができるように構成されているため、統計データの知識や利用経験がなくても、容易に必要な統計情報を入手することができる有用なデータベースを得ることができる。
【００３０】
［１−３．他の実施形態］
なお、本発明は上述したような実施形態に限定されるものではなく、以下のような変形例が考えられる。すなわち、上記の実施形態においては、情報地図の検索用ファクターとして、データ名と情報分野の２つのファクターを用いたが、これらの他にも種々のファクターを用いることができることは言うまでもない。
【００３１】
さらに、上記の実施形態においては、情報地図を「画像データ」としたが、この他に、医薬品・医療技術を「データ」とし、その複数の適応分野を「情報分野」、臨床データや適応症例等の画像情報を「画像データ」、そこから読みとれる医学的な注目情報を「キーワード」としても良い。また、次々と開発される先端技術あるいはその製品を「データ」とし、その社会的・技術的な応用分野を「情報分野」、技術の詳細や性能を伝える画像情報を「画像データ」、その技術面あるいは応用面での特徴的な情報を「キーワード」としても良い。
【００３２】
［２．情報地図の検索装置］
続いて、上記情報地図のデータベースを用いた本発明のデータ検索装置及び検索方法について説明する。
【００３３】
［２−１．構成］
図５は、本発明に係るデータ検索装置の一実施形態の構成を示す機能ブロック図である。すなわち、本実施形態のデータ検索装置は、縦軸及び横軸に列挙された統計データや情報分野等の複数の検索用ファクターと、各検索用ファクターに含まれる少なくとも１つのキーワードが記載された情報地図検索テーブルと、前記キーワードと関連づけられた情報地図及び文書データを記憶した情報地図データベース１と、利用者の指示によって、前記情報地図検索テーブルに記載された複数の検索用ファクターの中から１つの検索用ファクターを選択する第１の選択部２と、前記第１の選択部によって選択された検索用ファクターに含まれるキーワードの中から、所望のキーワードを選択する第２の選択部３と、前記第２の選択部によって特定されたキーワードと関連づけられた情報地図及び文書データを検索する検索部４と、前記情報地図検索テーブルや、検索結果としての情報地図及び文書シート等を表示する表示部５と、キーボード等の入力部６と、ディスプレイ、プリンター等の出力部７とを備えている。
【００３４】
［２−２．作用・効果］
図６は、本発明に係るデータ検索装置の一実施形態における処理手順を示すフローチャートであり、図７は、この処理手順によって所望の情報地図及び文書シートが表示される状態を示す模式図である。
【００３５】
すなわち、図６に示したように、利用者が、複数の情報地図のファイルが記憶された画像データ記憶部の中から、目的とする情報地図（Ｚ）を検索しようとする場合には、まず、ステップ６０１において、利用者の指示によって上述したような情報地図検索テーブルが表示される。
【００３６】
この情報地図検索テーブルは、上記［１．情報地図データベース作成方法］によって作成されたものであり、図４に示したように、その情報地図に用いられた全ての統計データを所定のデータ区分に従って分類した縦軸（ｙ行）と、その情報地図から得られる情報を有用とする複数の情報分野を所定の区分に従って分類した横軸（ｘ列）を有し、このｙ行とｘ列が交差するセル内に、そのセルに対応する情報の要点を表したキーワード（Ｋ）が記述された一覧表形式のテーブルである。
【００３７】
次に、ステップ６０２において、利用者が、この情報地図検索テーブルをその検索用ファクターの一つであるデータ名から検索するかどうかを尋ね、データ名から検索する場合には、ステップ６０３に進み、表示された情報地図検索テーブルのデータ一覧から、利用者が検索したいデータ名（図４の例えばＹ4）を選択し、続いて、ステップ６０４において、選択したデータ名（Ｙ4）の横軸上に列記されているキーワード（図４の例えば、Ｋ7、Ｋ8、Ｋ6…）の中から、利用者の利用目的に最も相応しいキーワードを一つ選択する。
【００３８】
続いて、ステップ６０５において、利用者が、選択したキーワード（Ｋ）が記述されているセル（Ｙ行、Ｘ列）を確定（クリック）すると、図７に示したように、そのキーワード（Ｋ）とリンクしている画像ファイルが情報地図データベースから取り出され、対応する情報地図（Ｚ）が画面に表示される。
【００３９】
さらに、ステップ６０６において、利用者が、表示された情報地図の説明文書を開くことを希望するか否かを尋ね、希望する場合にはステップ６０７に進み、その情報地図の説明文書を表示する。そして、ステップ６０８において、上記のような情報地図検索作業を終了するか否かを尋ね、さらに検索を行う場合にはステップ６０１に戻り、上記の処理が繰り返し行われる。
【００４０】
一方、ステップ６０２において、利用者がデータ名からの検索を希望しない場合には、ステップ６０９に進み、表示された情報地図検索テーブルの情報分野リストの中から、利用者の利用目的と関連が強い情報分野（図４の例えばＸ12）を選択し、続いて、ステップ６１０において、選択した情報分野（Ｘ12）の縦軸上に列記されているキーワード（図４の例えば、Ｋ2、Ｋ10、Ｋ24…）の中から、利用者の利用目的に最も相応しいキーワードを一つ選択する。そして、上記ステップ６０５に進み、以下、上述したと同様の処理がなされる。
【００４１】
このように、本実施形態の情報地図検索装置によれば、予めデータベースに記憶させた「情報地図検索テーブル」を用いて、目的の情報地図を簡便に検索することができるため、統計データに関する知識や経験が少ない利用者にとっても、過大な負担とならずに有用な統計データを利用することができる。
【００４２】
すなわち、「情報地図検索テーブル」には、膨大な種類の統計データを分類した「統計データ一覧」が設けられているので、これを手掛かりに利用者が目的のデータを容易に選択することができるようにされている。また、「情報地図検索テーブル」には、情報地図から読み取れる情報を、社会的・技術的な活用分野によって分類した「情報分野一覧」が設けられているので、利用者がデータを特定できない場合でも、どの分野で活用する情報が必要なのかを選択することにより、情報地図の検索を容易に行えるようにされている。
【００４３】
また、種々の統計データを、視覚的に把握できる情報地図として表示することができるので、より活用しやすくなり、説得力のある情報分析が可能となる。さらに、予めデータベースに記憶させた「情報地図検索テーブル」として、「キーワード」で記述した情報地図を、縦軸に表示した「統計データ一覧」と横軸に表示した「情報分野一覧」を有する表の上に分類しているため、一つの情報分野欄に並んでいる各種の情報地図を活用することにより、多面的・重層的に地域情報を把握・分析することができる。
【００４４】
［２−３．他の実施形態］
本発明は、上述したような実施形態に限定されるものではなく、以下のような変形例が考えられる。例えば、検索用ファクターとして、情報地図検索テーブルの縦軸に記載された「統計データ一覧」の中から１つのデータ名を選択し、次に、横軸に記載された「情報分野一覧」の中から１つの情報分野を選択して、両者によって規定されるセルにキーワードがあるか否か、言い換えれば、情報地図データが得られるか否かを検索しても良い。また、上述したように、情報地図検索テーブルが３次元構造を有するものである場合にも、同様にして所望の情報地図データを得ることができる。
【００４５】
さらに、上記の実施形態においては、情報地図データベースを用いたデータ検索装置及び検索方法に関する発明について説明したが、種々の「画像データ」を蓄積したデータベースを用いたデータ検索装置及び検索方法に同様に適用できることは言うまでもない。
【００４６】
【発明の効果】
以上述べたように、本発明によれば、一覧表形式で表示されたテーブル中から所定のキーワードを選択するという簡単な操作で、統計データ等に関する知識や経験の少ない利用者であっても、多数の画像データの中から目的の画像データを簡便に検索することにより、統計情報を有効かつ正確に活用することができるデータ検索装置及びデータ検索方法を提供することができる。
【図面の簡単な説明】
【図１】本発明に係るデータベース作成方法の処理手順の前半部分を示すフローチャート
【図２】本発明に係るデータベース作成方法の処理手順の後半部分を示すフローチャート
【図３】情報地図管理リストの一例を示す図
【図４】情報地図検索テーブルの一例を示す図
【図５】本発明に係るデータ検索装置の一実施形態の構成を示すブロック図
【図６】本発明に係るデータ検索装置における処理手順を示すフローチャート
【図７】本発明に係るデータ検索装置による作用を示す模式図
【図８】従来の情報地図作成方法の処理手順を示すフローチャート
【符号の説明】
１…情報地図データベース
２…第１の選択部
３…第２の選択部
４…検索部
５…表示部
６…入力部
７…出力部
【図１】
0003595757.tif 000002
【図２】
0003595757.tif 000003
【図３】
0003595757.tif 000004
【図４】
0003595757.tif 000005
【図５】
0003595757.tif 000006
【図６】
0003595757.tif 000007
【図７】
0003595757.tif 000008
【図８】
0003595757.tif 000009